(57)【特許請求の範囲】
【請求項１】
フロントパネルの前面左右に取っ手が取り付けられ、左右の側面板にラックアングルが取り付けられたラックマウント用電子機器において、
前記側面板にねじ孔が形成され、
前記ラックアングルは、前記側面板に形成されたねじ孔に対向して貫通孔が形成された第１の取付板と、ラックの支柱部にねじで取り付けるための貫通孔が形成された第２の取付板とが直交するように形成され、前記第１の取付板に形成された貫通孔にねじを通して前記側面板に取り付けられ、
前記フロントパネルは、前記左右の側面板の外方向に延在する延在部を有して、前記左右の側面板の前面に配置され、
該延在部は、前記第１の取付板が前記側面板に取り付けられた状態において、前記第２の取付板に形成された貫通孔の前方を開放する形状に形成され、
前記取っ手は、少なくとも前記延在部を挟んで、該延在部の裏側からねじを通して取り付けられる、
ことを特徴とするラックマウント用電子機器。
【請求項２】
標準取付状態においては、前記第２の取付板が前記フロントパネルの延在部に重なるように取り付けられ、かつ、オフセット取付状態においては、前記第２の取付板が前記フロントパネルよりも奥行き方向に離間して取り付けられるように、前記第１の取付板に形成された貫通孔及び前記側面板に形成されたねじ孔の一方が、前記標準取付状態及び前記オフセット取付状態のそれぞれに応じた位置に形成されている、
ことを特徴とする請求項１に記載のラックマウント用電子機器。
【請求項３】
前記左右の側面板が前方から外方向に折れ曲がる折曲部が形成され、
前記標準取付状態において、前記折曲部は、前記フロントパネルの延在部と前記第２の取付部との間に配置され、
前記取っ手は、少なくとも前記延在部と前記折曲部とを挟んで、該折曲部の裏側からねじを通して取り付けられる、
ことを特徴とする請求項２に記載のラックマウント用電子機器。
【請求項４】
前記ラックアングルは、前記左右の側面板の一方に取り付けられるときに干渉する部材を回避する部分形状を有し、かつ、当該回避する部分形状と上下に面対称となる部分形状を有することにより、当該外形が上下に面対称になるように形成されるとともに、前記第１の取付板に形成された貫通孔及び前記第２の取付板に形成された貫通孔が、上下に面対称になるように形成されることにより、前記左右の側面板のそれぞれに取り付けるラックアングルを同一形状とした、
ことを特徴とする請求項１から３までのいずれか１項に記載のラックマウント用電子機器。
【発明の詳細な説明】
【技術分野】
【０００１】
本発明は、電子機器をラックに取り付ける構造を備えたラックマウント用電子機器に関するものである。特に、業務用のオーディオ・パワーアンプに適したものである。
【背景技術】
【０００２】
PA（Public Address），SR（Sound Reinforcement）等に使われる業務用オーディオ・パワーアンプは、ホール、劇場、宴会場などの恒久的設備や、ライブ、イベント等の移動会場で使用される。このような業務用オーディオ・パワーアンプは、高出力、高効率、かつ、堅牢性等の要求仕様に応じるため、大半は１０ｋｇを超える重さがあり、冷却用ファンを備えている。
このような業務用オーディオ・パワーアンプは、複数台を同時に使用する場合が多いため、ラックにマウント（搭載）して使用される。移動会場で使用する場合は、その移動会場に応じた台数の業務用オーディオ・パワーアンプが、会場においてラックにマウントされる。
一般に、ラックマウント用の電子機器においては、取付部がフロントパネルの左右に設けられ、加えて、取っ手（キャリー・ハンドル、carry handle）を備える場合もある（特許文献１参照）。
【０００３】
図６は、業務用オーディオ・パワーアンプの第１の従来例（非特許文献１参照）を示す説明図である。図６（ａ）は平面図、図６（ｂ）は右側面図、図６（ｃ）は正面図である。
図中、１１１はメインシャーシの側面板、１１２はトップカバー、１１３はフロントパネル、１１４は取っ手、１１５はラックアングル、１１６は貫通孔（長孔）、１１７はねじ、１１８は吸気口、１１９は背面板、１２０1〜１２０5は貫通孔である。貫通孔１２０1，１２０2，１２０4は、ねじの軸部を通すが、ねじの頭部は通さない、通常の取付用の孔であるが、貫通孔１２０3，１２０5は、ねじの頭部を通す逃げ孔である。
ラックアングル１１５は、Ｌ字形の金具であって、３本のねじ１１７を貫通孔１２０1，１２０2，１２０4に通してメインシャーシの側面板に形成されたねじ孔に取り付けることにより、フロントパネル１１３に、その左右を延長するような形で取り付けられている。
【０００４】
一方、ラックアングル１１５の貫通孔１２０3（逃げ孔）に通されたねじ１１７は、メインシャーシの右側の側面板に形成された貫通孔を通されて、筐体内部のサブシャーシに形成されたねじ孔に取り付けられる。その結果、メインシャーシの右側の側面板とサブシャーシとが締結される。
図示の貫通孔１２０5（逃げ孔）は使用されていないが、このラックアングル１１５と同一のものを、メインシャーシの左側の側面板に取り付けるときには、貫通孔１２０1，１２０2，１２０4とともに使用される。すなわち、貫通孔１２０5（逃げ孔）を通されたねじがメインシャーシの左側の側面板に形成された貫通孔を通されて、サブシャーシのじ孔に取り付けられることにより、メインシャーシの左側の側面板とサブシャーシとが締結される。
【０００５】
メインシャーシの側面板１１１に取り付けられたラックアングル１１５の後面を、図示しないラックの支柱部の前面に当接させ、図示しないねじを、貫通孔１１６に通して支柱部（垂直レール）に形成されたねじ孔又はこの支柱部に設けられたケージナットのねじ孔に取り付けることにより、パワーアンプをラックにマウントする。取っ手１１４はメインシャーシの左右の側面板１１１よりも内側に取り付けられている。
上述した第１の従来例では、取っ手１１４がパワーアンプの筐体内で取り付けられているため、この取っ手１１４が吸気口１１８に被さってしまい、冷却用ファンの冷却効率を低下させる。また、取っ手１１４が不要な場合であっても、ユーザが取っ手１１４を簡単に取り外すことができないという問題がある。
【０００６】
図７は、業務用オーディオ・パワーアンプの第２の従来例（非特許文献２参照）を示す説明図である。取っ手１２２が取り付けられていない状態における、正面図のみを示している。
図中、１２１はフロントパネル、１２１ａはフロントパネルの延在部、１２２は取っ手（破線で示す）、１２３は貫通孔（長孔）、１２４は貫通孔、１２５は吸気口である。
フロントパネルの延在部１２１ａの裏側は、図示しないメインシャーシの左右の側面板よりも外方向になる。ネジをフロントパネルの延在部１２１ａに設けられた貫通孔（長孔）１２３を通して、ラックの支柱部に取り付けることにより、オーディオ・パワーアンプをラックにマウントする。従って、ラックアングルがフロントパネル１２１と一体になっている。
取っ手１２２は、フロントパネルの延在部１２１ａにおいて取り付けられるから、取っ手１２２は、取付け/取外しが自在であるとともに、吸気口１２５に被さらないから、冷却用ファンの冷却効率を低下させない。
【０００７】
ところが、業務用オーディオ・パワーアンプの筐体は、拡張性向上、ディジタル・ネットワーク対応等の要求仕様により、奥行きが増大する傾向にある。
しかし、いずれの従来例においても、奥行きの長いパワーアンプ本体を標準仕様のラックにマウントした場合は、筐体が標準仕様のラックに収まらなかったり、仮に収まったとしても、筐体のリアパネルに設けられた入出力端子へ配線するためのスペースが厳しくなったりするという問題がある。
【特許文献１】特開平９−１９９７８９号公報
【非特許文献１】”POWER AMPLIFIER XP7000/XP5000/XP3500/XP2500/XP1000取扱説明書”、［online］、ヤマハ株式会社、［平成19年6月検索］、インターネット（URL：http://www2.yamaha.co.jp/manual/pdf/pa/japan/amp/xp7000#ja.pdf）、6,15ページ
【非特許文献２】”POWER AMPLIFIER T5n/T4n/T3n 取扱説明書”、［online］、ヤマハ株式会社、［平成19年6月検索］、インターネット（URL：http://www2.yamaha.co.jp/manual/pdf/pa/japan/amp/t5n#t4n#t3n#ja#om.pdf）、6/18，16/18ページ
【発明の開示】
【発明が解決しようとする課題】
【０００８】
本発明は、上述した問題点を解決するためになされたもので、電子機器をラックマウントする際に、ラックの前後位置を調整し手前に電子機器をオフセットしてマウントすることができるとともに、手前にオフセットした状態でマウントしても、取っ手を把持可能であるラックマウント用電子機器を提供することを目的とするものである。
【課題を解決するための手段】
【０００９】
本発明は、請求項１に記載の発明においては、フロントパネルの前面左右に取っ手が取り付けられ、左右の側面板にラックアングルが取り付けられたラックマウント用電子機器において、前記側面板にねじ孔が形成され、前記ラックアングルは、前記側面板に形成されたねじ孔に対向して貫通孔が形成された第１の取付板と、ラックの支柱部にねじで取り付けるための貫通孔が形成された第２の取付板とが直交するように形成され、前記第１の取付板に形成された貫通孔にねじを通して前記側面板に取り付けられ、前記フロントパネルは、前記左右の側面板の外方向に延在する延在部を有して、前記左右の側面板の前面に配置され、該延在部は、前記第１の取付板が前記側面板に取り付けられた状態において、前記第２の取付板に形成された貫通孔の前方を開放する形状に形成され、前記取っ手は、少なくとも前記延在部を挟んで、該延在部の裏側からねじを通して取り付けられるものである。
【００１０】
従って、ラックアングルの第１の取付板を側面板に取り付ける奥行き方向の位置を自由に設計できるから、電子機器をラックにマウントする際にマウント位置を手前にずらせる量を調整することができる。
取っ手は、電子機器の筐体を開くことなく、取り付けや取り外しが可能であるとともに、電子機器のマウント位置を手前にオフセットした状態でも、取っ手を把持することができる。
フロントパネルは、第２の取付板に形成された貫通孔の前方を開放する形状に形成されていることから、この貫通孔の前方からドライバ（工具）を差し込み、ねじを、この貫通孔を通してラックの支柱部に取り付ける作業が容易になる。
フロントパネルに、左右の側面板に隣接して吸気口が形成され、左右の側面板に隣接し吸気口に面して空冷用ファンが設けられている場合は、取っ手がフロントパネルに設けられた吸気口に被さらないから、空冷用ファンの冷却効率を低下させない。また、フロントパネルに、左右の側面板に隣接して操作子が設けられている場合は、取っ手が操作子に被さらないから、操作子を操作する障害とならない。
【００１１】
本発明は、請求項２に記載の発明においては、請求項１に記載のラックマウント用電子機器において、標準取付状態においては、前記第２の取付板が前記フロントパネルの延在部に重なるように取り付けられ、かつ、オフセット取付状態においては、前記第２の取付板が前記フロントパネルよりも奥行き方向に離間して取り付けられるように、前記第１の取付板に形成された貫通孔及び前記側面板に形成されたねじ孔の一方が、前記標準取付状態及び前記オフセット取付状態のそれぞれに応じた位置に形成されている。
【００１２】
従って、電子機器筐体の奥行きに対して、ラックの奥行きが十分に大きい場合は、第１の取付板に形成された貫通孔及び側面板に形成されたねじ孔の一方（例えば、側面板に形成されたねじ孔）であって、標準取付状態に応じた位置に形成されたものと、第１の取付板に形成された貫通孔及び側面板に形成されたねじ孔の他方のもの（例えば、第１の取付板に形成された貫通孔）とを対向させて、ねじで取り付ければ、標準取付状態で電子機器をラックにマウントすることができる。
また、電子機器筐体の奥行きに対して、ラックの奥行きが足りない、もしくは、余裕がない場合は、第１の取付板に形成された貫通孔及び側面板に形成されたねじ孔の一方（例えば、側面板に形成されたねじ孔）であって、オフセット取付状態に応じた位置に形成されたものと、第１の取付板に形成された貫通孔及び側面板に形成されたねじ孔の他方のもの（例えば、第１の取付板に形成された貫通孔）とを対向させて、ねじで取り付ければ、オフセット取付状態で電子機器をラックにマウントすることができる。
上述したオフセット取付状態として、前方へずらす長さ（前方オフセット長）を複数の値に設定できるようにしてもよい。前記第１の取付板に形成された貫通孔及び前記側面板に形成されたねじ孔の一方が、標準取付状態に加えて、前方へずらす長さの複数の値、それぞれに応じた位置に形成されていればよい。
【００１３】
本発明は、請求項３に記載の発明においては、請求項２に記載のラックマウント用電子機器において、前記左右の側面板が前方から外方向に折れ曲がる折曲部が形成され、前記標準取付状態において、前記折曲部は、前記フロントパネルの延在部と前記第２の取付部との間に配置され、前記取っ手は、少なくとも前記延在部と前記折曲部とを挟んで、該折曲部の裏側からねじを通して取り付けられるものである。
従って、取っ手をねじで取り付けることに伴い、フロントパネルと左右の側面板とが互いに締結されることになるから、電子機器の筐体のラック取付部の剛性が増す。
【００１４】
本発明は、請求項４に記載の発明においては、１から３までのいずれか１項に記載のラックマウント用電子機器において、前記ラックアングルは、前記左右の側面板の一方に取り付けられるときに干渉する部材を回避する部分形状を有し、かつ、当該回避する部分形状と上下に面対称となる部分形状を有することにより、当該外形が上下に面対称になるように形成されるとともに、前記第１の取付板に形成された貫通孔及び前記第２の取付板に形成された貫通孔が、上下に面対称になるように形成されることにより、前記左右の側面板のそれぞれに取り付けるラックアングルを同一形状としたものである。
従って、左側の側面板に取り付けられるラックアングルと右側の側面板に取り付けられるラックアングルとが共通部品となることから、製造コストが低減され、部品管理が容易になる。
【発明の効果】
【００１５】
本発明によれば、電子機器をラックにマウントする際に、ラックの前後位置を調整しラックの手前方向に電子機器をオフセットすることにより、収容空間の奥行きを自由に設計できるという効果がある。その結果、奥行きが長い電子機器を標準仕様のラックにマウントする場合にも、入出力端子への配線を収容するスペースを確保した上で、電子機器をラックに収容することができるようになる。
取っ手は、ユーザにより取付け取り外しが容易であるとともに、電子機器のマウント状態にかかわらず、把持可能であるという効果がある。
ねじを、第２の取付板に形成された貫通孔を通してラックの支柱部に取り付ける作業が容易であるという効果がある。
【発明を実施するための最良の形態】
【００１６】
図１は、本願発明の実施形態を示す要部の外観図である。なお、図５（ａ）に全体の外観図を示す。図２は、本願発明の実施形態を示す要部の右側面図である。
図１（ａ）と図２（ａ）とは、標準取付状態におけるものであり、図１（ｂ）と図２（ｂ）とは、オフセット取付状態におけるものである。
図３は、ラックアングルの外観図である。図３（ａ）は、図１、図２に示したラックアングル５の外観図であり、図３（ｂ）はラックアングル５の変形例３１を示す外観図である。
【００１７】
図中、１はメインシャーシの側面板である。図示の例では、この側面板１が前方から左右の外方向に折れ曲がることにより、メインシャーシ側面の折曲部１ａが形成されている。
２はトップカバー（上蓋）である。このトップカバー２が左右の側面板１の上端に当接する部分が下方に折れ曲がることにより、トップカバーの折曲部２ａが形成されている。
３はフロントパネル（前表面板）である。４は取っ手（キャリー・ハンドル）、５はラックアングル、６は吸気口、６ａはフロントフィルタグリル、７はねじである。このねじ７は、メインシャーシの側面板１を、図５（ｂ）に示すサブシャーシ９１に取り付けるためのものである。メインシャーシの側面板１には、このねじ７の位置（左右の側面板の上方部に１箇所）に貫通孔が形成されている。その他のねじについては、図示を省略している。
【００１８】
メインシャーシは、図示の側面板１と、図示されない底板、背面板８１（図５（ｂ）参照）と一体に形成されているが、それぞれが別体であってもよい。オーディオ・パワーアンプの筐体は、メインシャーシ、トップカバー２、及び、サブシャーシ９１（図５（ｂ）参照）で構成されている。フロントパネル３は、メインシャーシの側面板（左右の側面板）１の外方向に延在する延在部３ａを有して、左右の側面板の前面に配置されている。
この延在部３ａは、ラックアングル５の、後述する第１の取付板５ａがメインシャーシの側面板１にねじで取り付けられた状態において、後述する第２の取付板５ｂに形成された貫通孔（長孔）１６，１７の前方を開放する形状に形成されている。これは、ラックアングル５をラックの支柱部にねじで取り付ける時に、取付用のねじと干渉するからである。図示の例では、延在部３ａの四隅に、切り欠き部３ｂが形成されている。この切り欠き部３ｂは、貫通孔（長孔）１６，１７に合わせた略矩形の形状である。
左右一対の取っ手４は、その上下にある水平部分が、少なくともフロントパネルの延在部３ａを挟んでこの延在部３ａの裏側からねじ１０（図２参照）により、取り外し可能に取り付けられている。
【００１９】
ラックアングル５は、図３（ａ）に示されているように、Ｌ字形の部材であって、第１の取付板５ａと第２の取付板５ｂとが直交するように形成されたものである。図示の例では、第１の取付板５ａの方には、図２（ａ），図２（ｂ）に示されているように、３個の貫通孔１１〜１３と、２個の半円形状の切り欠き部１４，１５とが形成されている。第２の取付板５ｂの縦幅は、フロントパネル３の高さと略同じにしている。
【００２０】
３個の貫通孔１１，１２，１３に対向するように、メインシャーシの側面板１には、図２（ａ），図２（ｂ）に示すように、３個のねじ孔（ねじ切りされた孔）が２組（２１，２２，２３）、（２４，２５，２６）形成されている。３個のねじ孔２１，２２，２３の組は、標準取付状態に応じた位置に形成されている。一方、３個のねじ孔２４，２５，２６の組は、オフセット取付状態に応じた位置に形成されている。
半円形状の切り欠き部１４の直径は、ねじ７の頭部の直径よりも僅かに大きい。この半円形状の切り欠き部１４は、標準取付状態において、ラックアングル５が、ねじ７の位置を回避してメインシャーシの側面板１に取り付けられるために形成されている。従って、ラックアングル５の取付状態を変更する際に、ねじ７を取り外さずにラックアングル５を移動させることができる。ねじ７は、先に説明したように、メインシャーシの側面板１と図５（ｂ）に示すサブシャー９１とを締結するものである。
一方、第２の取付板５ｂの方には、図３（ａ）に最もよく示されるように、２個の貫通孔（長孔）１６，１７と２個の貫通孔１８，１９とが形成されている。
【００２１】
ラックアングル５は、左右に１対が使用されるが、それぞれのメインシャーシの側面板１に取り付けられるものが同一形状となるように設計している。図示のラックアングル５は、右側の側面板に取り付けられる状態で示されている。このラックアングル５は、左側の側面板にも取り付け可能なように、上下の中心となる、図２，図３に交線を示す対称面に対し、上下に面対称（鏡対称）となるように形成されている。
図示の取付状態にあるラックアングル５の上下を半回転させれば、メインシャーシの左側の側面板に取り付け可能な状態になる。
【００２２】
そのため、ラックアングル５をメインシャーシの右側の側面板１に取り付けるときに障害となる、トップカバーの折曲部２ａを回避するように、ラックアングル５の対称面との交線（第１の取付板５ａの対称軸）から第１の取付板５ａの上端までの長さが第２の取付板５ｂよりも短くされているだけでなく、ラックアングル５が左側の側面板に取り付けられるときに、トップカバーの折曲部２ａを回避するように、ラックアングル５の対称面との交線（第１の取付板５ａの対称軸）から下端までの長さも、対称的に短くされている。
【００２３】
また、貫通孔１１，１２，１３、半円形状の切り欠き部１４，１５、貫通孔（長孔）１６，１７、貫通孔１８，１９も、図２，図３に示す対称面に対して上下に面対称である（貫通孔１３は対称面上に形成されている）。
ここで、半円形状の切り欠き部１５は、メインシャーシの右側の側面板１への取付状態においては不要であるが、ラックアングル５が左側の側面板に取り付けられるときに、ねじ７と同様な目的で同様の位置に設けられたねじを回避するために必要となる。
【００２４】
なお、図示の例では存在しないが、貫通孔についても、一方の側面板への取り付けには不要であるが、他方の側面板への取り付けには必要となるものを形成してよい。
例えば、図６（ｂ）に示した従来のラックアングル１１５においては、このような一方の側面板へラックアングル１１５を取り付ける場合にのみに利用される２個の貫通孔（図示の例では、逃げ孔）１２０3，１２０5が形成されている。
【００２５】
図１（ａ），図２（ａ）に示す標準取付状態においては、２組ある、複数のねじ孔の内、ねじ孔２１，２２，２３の組の位置と、貫通孔１１，１２，１３の位置とを合わせて、図示しない３個のねじで取り付ければ、ラックアングル５の第１の取付板５ａがメインシャーシの側面板１に取り付けられる。このとき、ラックアングル５の第２の取付板５ｂが、メインシャーシ側面の折曲部１ａを間にしてフロントパネルの延在部３ａに重なるようになる。
ラックアングル５の第２の取付板５ｂの後面を図示しないラックの支柱部に合わせ、ドライバ（工具）の先端をフロントパネル３の切り欠き３ｂから差し込んで、ねじを、ラックアングル５の第２の取付板５ｂに形成された貫通孔（長孔）１６，１７を通して、ラックの支柱部にねじで取り付けることにより、メインシャーシの左右の側面板１がラックの支柱部に取り付けられる。
その結果、フロントパネル３は、ラックの支柱部の前面から、メインシャーシ側面の折曲部１ａの厚みと、ラックアングルの第２の取付板５ａの厚みとを合わせた厚み分だけ、前方に位置するようにラックにマウントされる。
【００２６】
メインシャーシ側面の折曲部１ａが設けられている場合、取っ手４は、フロントパネルの延在部３ａ、メインシャーシ側面の折曲部1ａ、及び、ラックアングル５の第２の取付板５ｂを間に挟んで、ねじ１０を裏側から取り付けられることにより、フロントパネルの延在部３ａに取り付けられる。図３（ａ）に示した貫通孔１８，１９は、このとき、ねじ１０を通すためのものである。この場合、フロントパネルの延在部３ａとメインシャーシ側面の折曲部1ａと第２の取付板５ｂとが共締めされることになり、ラックを取り付ける部分の剛性が増す。しかし、次に説明する図２（ｂ）に示す位置に再取り付けする場合は、ねじ１０を一旦外す必要がある。
これに対し、貫通孔１８，１９の径を、ねじ頭の径よりも大きい逃げ孔とすれば、取っ手４は、ラックアングル５を共締しない。この場合、ねじ１０を外すことなく、ラックアングル５を、メインシャーシの側面板１から取り外して、次に説明する図２（ｂ）に示す位置に再固定することができる。
【００２７】
図１（ｂ），図２（ｂ）に示すように、オフセット取付状態（オーディオ・パワーアンプが手前側に引き出されたマウント状態）においては、２組あるねじ孔のうち、ねじ孔２４，２５，２６の組の位置と、貫通孔１１，１２，１３の位置とを合わせて、図示しない３個のねじで取り付けることにより、ラックアングル５の第１の取付板５ａがメインシャーシの側面板１に取り付けられる。このとき、ラックアングル５の第２の取付板５ｂが、フロントパネル３の延在部３ａよりも奥行き方向に離間した位置となる。
このときも、ラックアングル５の第２の取付板５ｂの後面を図示しないラックの支柱部に合わせ、ドライバ（工具）の先端をフロントパネル３の切り欠き３ｂから差し込んで、ねじを貫通孔（長孔）１６，１７を通して、図示しないラックの支柱部に取り付けることにより、パワーアンプをラックにマウントする。
その結果、パワーアンプは、図１（ａ），図２（ａ）に示した標準取付状態に比べて、ラックアングル５を奥行き方向にずらせた長さ分だけ、標準取付状態よりもフロントパネル３が前方手前に出る状態でラックにマウントされる。
【００２８】
図示の例では、メインシャーシの側面板１に、２つの取付状態に応じて２組のねじ孔を設けていた。
これに代えて、メインシャーシの側面板１には１組のねじ孔を設け、ラックアングル５には、２つの取付状態に応じて、２組の貫通孔を設けるようにしてもよい。２組の貫通孔のうち、いずれかの組の貫通孔に、１組のねじ孔を合わせてねじで取り付ければよい。ただし、ラックアングル５に、複数組の貫通孔を設けるには、第１の取付板を奥行き方向に長くする必要があるため、材料費が余分にかかることになる。
さらには、ねじ孔の組数、貫通孔の組数の両方を複数組として、ねじ孔の組と貫通孔の組との組合せにより、より多くの組合せに応じて、前方へずらす長さ（前方オフセット長）を複数種類に増やすことができる。
【００２９】
フロントパネル３には、メインシャーシの左右の側面板１に隣接して一対の吸気口６が形成され、吸気口６は、フロントフィルタグリル６ａにより保護されている。図示のオーディオ・パワーアンプは、メインシャーシの左右の側面板１に隣接し吸気口６に面して１対の空冷用ファン９２，９３（図５（ｂ）参照）を内蔵している。
取っ手４は、吸気口６の前面を外れて取り付けられているため、冷却用ファン９２，９３の冷却効率を低下させない。また、取っ手４は、ラックアングル５には取り付けられていないため、ラックアングル５を奥行き方向に移動させてメインシャーシの側面板１に取り付けられた場合でも、取っ手４が後退して、取っ手４を把持しにくくなるようなことがない。
【００３０】
図３（ａ）に示したラックアングル５においては、ラックの支柱部にねじで取り付けるために貫通孔（長孔）１６，１７を用いていた。これに代えて、図３（ｂ）に示す変形例のラックアングル３１のように、切り欠きを有する貫通孔３２，３３を用いてもよい。
【００３１】
図４は、本願の実施形態におけるフロントパネルの延在部に関する変形例を示す説明図である。いずれも、標準取付状態を場合を示している。
図中、図１〜図３と同様な部分には同じ符号を付している。
図４（ａ）に示す第１の変形例において、４１はメインシャーシの側面板、４１ａはその折曲部であるメインシャーシ側面の折曲部、４３はフロントパネル、４３ａはその延在部である。トップカバー２、取っ手４及びラックアングル５は、図１〜図３と同様である。
フロントパネルの延在部４３ａには、その四隅に切り欠き部がなく、切り欠き部に代えて、図３（ａ）に示したラックアングル５の第２の取付板５ｂに形成された貫通孔（長孔）１６，１７を、奥行き方向の軸に沿って、フロントパネルの延在部４３ａまで移動させたとした位置に、貫通孔（長孔）４４，４５が形成されている。その結果、このフロントパネルの延在部４３ａも、また、貫通孔（長孔）１６，１７の前方を開放する形状を有している。取っ手４は、図１〜図３と同様に、フロントパネルの延在部４３ａ及びメインシャーシ側面の折曲部４１ａを挟んで裏側からねじ１０で取り付けられる。
【００３２】
図示の標準取付状態においては、ねじを貫通孔（長孔）４４（１６）、貫通孔４５（１７）を通して、図示しないラックの支柱部にねじで取り付けることができる。
一方、オフセット取付状態においては、ドライバ（工具）の先端を貫通孔（長孔）４４，４５に差し込んで、ねじをラックアングル５の第２の取付板５ｂに形成された貫通孔（長孔）１６，１７を介して、ラックの支柱部に取り付ければよい。ただし、作業性は少々悪くなる。
貫通孔４４，４５は、ねじ頭の径よりも大きい逃げ孔としてもよい。この場合、標準取付状態においても、ねじはフロントパネルの延在部４３ａと共締めされない。
メインシャーシ側面の折曲部４１ａを設けた場合は、この形状は、フロントパネルの延在部４３ａと形状を合わせるとともに、貫通孔４４，４５と同様の貫通孔を設ける。
【００３３】
図４（ｂ）に示す第２の変形例において、５１はメインシャーシの側面板、５１ａはその折曲部であるメインシャーシ側面の折曲部、５３はフロントパネル、５３ａはその延在部である。トップカバー２、取っ手４及びラックアングル５は、図１〜図３と同様である。
フロントパネルの延在部５３ａは、その左右端辺を、図３（ａ）に示したラックアングル５の第２の取付板５ｂの左右端辺よりも短くすることにより、貫通孔（長孔）１６，１７の前方を開放する形状を有している。取っ手４は、図１〜図３と同様に、少なくともフロントパネルの延在部５３ａ及びメインシャーシ側面の折曲部５１ａを挟んで、裏側からねじ１０により取り付けられる。
【００３４】
オーディオ・パワーアンプを、図示しないラックの支柱部に取り付ける方法は、図１〜図３に示した実施形態と同様である。
ただし、フロントパネルの延在部５３ａに形成されている、取っ手４を取り付けるための貫通孔（ラックアングル５の貫通孔１８，１９に対応するもの）から左右端辺まで肉の残りが少ないから、取っ手４の取付強度については不利である。
また、図示の例では、ラックアングル５の第２の取付板５ｂに形成された貫通孔（長孔）１６，１７の横幅が、図２（ａ）に示した貫通孔（長孔）１６，１７の横幅よりも少し短くなっている。これは、図示の具体例では、貫通孔（長孔）１６，１７と貫通孔１８，１９との左右間隔に余裕がないためである。
なお、メインシャーシ側面の折曲部５１ａを設けた場合は、その形状は、フロントパネルの延在部５３ａと形状を合わせる。
【００３５】
図４（ｃ）に示す第３の変形例において、６１はメインシャーシの側面板、６１ａはその折曲部であるメインシャーシ側面の折曲部、６３はフロントパネル、６３ａはその延在部、６４は取っ手、６５はラックアングル、６５ａはその第１の取付板、６５ｂはその第２の取付板である。トップカバー２は、図１〜図３と同様である。
フロントパネル６３の外形状については、図１〜図３に示したフロントパネル３と同様であり、その延在部６３ａには、四隅に切り欠き部６３ｂがある。
取っ手６４は、ラックアングル６５を取り付ける貫通孔（長孔）１６，１７の間に設けられる。そのため、ラックアングル６５の第２の取付板６５ｂには、図３（ａ）に示したラックアングル５に追加して、取っ手６４を取り付けるためのねじを通すための貫通孔が形成されている。
取っ手６４は、フロントパネルの延在部６３ａと、メインシャーシの側面の折曲部６１ａと、ラックアングル６５とを挟んで裏側から取り付けられる。しかし、取っ手６４の縦幅が短くなって、手を差し入れる部分が狭くなってしまうため、オーディオ・パワーアンプを持ち運びする際の作業性が劣る。
【００３６】
この第３の変形例では、標準取付状態において、ねじ１０の頭部がラックの支柱部に突き当たるという問題がある。そのため、例えば、上述したラックアングル６５の第２の取付板６５ｂに形成された追加の貫通孔を、ねじ頭の径よりも大きい逃げ孔とし、メインシャーシ側面の折曲部４１ａ及びフロントパネルの延在部６３ａに設ける貫通孔を、ねじ頭（皿ねじ）を収容する座ぐり孔にすることにより、ねじ１０の頭部がラックの支柱部に突き当たらないようにすることができる。
なお、図１〜図３、図４（ａ），図４（ｂ）の具体例においても、取っ手４を取り付けるねじの頭が、ラックの支柱部に当接する場合は、図４（ｃ）の場合と同様に、ねじを皿ねじとし、ラックアングルの第２の取付部に形成された貫通孔を逃げ孔とし、フロントパネルの延在部に形成した貫通孔を座ぐり孔にすればよい。
【００３７】
図５は、本発明の実施形態の標準取付状態における全体図である。図５（ａ）は全体の外観図であり、図５（ｂ）は内部構造を示す外観図である。
図中、図１〜図３と同様な部分には同じ符号を付している。
図５（ａ）においては、図１〜図３には表れていなかった部分について補足説明する。
７１，７２は、フロントフィルタグリル６ａに形成された貫通孔であって、ここにねじを通してフロントフィルタグリル６ａがフロントパネル３に取り付けられる。
７３は電源スイッチ、７４は第１のインジケータ（発光ダイオード）群、７５はＡ系統の音量ボリューム、７６は第２のインジケータ（発光ダイオード）群、７７はパネル表示器、７８は操作子群、７９はＢ系統の音量ボリューム、８０は第３のインジケータ（発光ダイオード）群である。Ａ系統，Ｂ系統の音量ボリューム７５，７９のノブはまだ取り付けられていない。
【００３８】
８１はメインシャーシの背面板である。トップカバー２は、後端部が折り曲げられて、背面板８１にねじで取り付けられる。８２は、メインシャーシの側面板１が背面板８１よりも後方の突出部に設けられた複数の貫通孔（長孔）である。オーディオ・パワーアンプをラックに堅固に固定したい場合は、複数の貫通孔（長孔）８２にねじを通してラックの後方にある支柱部にもねじで取り付けることができる。
【００３９】
図５（ｂ）を参照して、パワーアンプの内部構造について説明しておく。メインシャーシ内部には、ユニット化された複数の電装部品が内蔵されている。
９１はサブシャーシであって、メインシャーシの前部に取り付けられ、パネル表示器７７等の表示器用基板、操作子群７８等の操作子用基板、冷却用ファン９２，９３を固定する。
冷却用ファン９２，９３の後方に、複数のフィンを備えるヒートシンク９４，９５が、メインシャーシの左右の側面板１に沿って、背面板８１まで延設され、メインシャーシの左右の側面板１に固定されている。背面板８１には排気口９６，９７が設けられている。
【００４０】
パワーアンプ回路基板９８，９９はヒートシンク９４，９５の内側面に設けられ、出力トランジスタ、電源供給用のトランジスタ、温度検出センサ等が、ヒートシンク９４，９５の上面に固定されている。
電源回路基板１００は、パワーアンプ回路基板９８，９９の間において、メインシャーシの底板側に設置されている。電源回路基板１００には、Ａ，Ｂ両系統の電源供給回路が分散配置されている。電源回路基板１００の上部には、CPU基板１０１、DSP基板１０２、入出力端子基板１０３，１０４，１０５が設けられている。そのうち、入出力端子基板１０５は、オプションで取り付けられる拡張基板である。
CPU基板１０１は操作系、表示系の制御をする。DSP基板１０２はオーディオ信号の特性調整をするほか、ヒートシンク９４の過熱、出力電圧、出力電流の異常を検出し、このとき、パワーアンプ回路基板９８に供給するオーディオ入力信号を遮断することにより、パワーアンプ回路基板９８出力トランジスタを保護したりする。
【００４１】
上述した説明では、ラックアングル５，３１，６５は、第１の取付板と第２の取付板とが直接的に直交結合するように形成されたＬ字形の部材とした。しかし、ラックアングル５，３１，６５は、左右の側面板へ取り付け固定される取付部としての第１の取付板と、ラック支柱部に当接し、ねじを介して取り付け固定される取付部としての第２の取付板とが直交するように形成されていればよい。
例えば、第１の取付板と第２の取付板とが、平面状の結合領域（例えば、両者に対し４５度の角度をなす平面板）あるいは曲面状の結合領域を介して結合するように形成された部材であってもよい。
【００４２】
上述した説明では、本願の発明を、ラックマウント用のオーディオ・パワーアンプについて説明したが、ラックマウント用の電子機器一般に適用できる。特に、フロントパネルに、左右の側面板に隣接して吸気口又は排気口が形成され、左右の側面板に隣接し吸気口又は排気口に面して空冷用ファンが設けられている電子機器、または、フロントパネルに、左右の側面板に隣接して操作子が設けられている電子機器に適している。
【図面の簡単な説明】
【００４３】
【図１】本願発明の実施形態を示す要部の外観図である。
【図２】本願発明の実施形態を示す要部の右側面図である。
【図３】ラックアングルの外観図であり、図３（ａ）は、図１、図２に示したラックアングルの外観図であり、図３（ｂ）はラックアングルの変形例を示す外観図である。
【図４】本願の実施形態におけるフロントパネルの延在部に関する変形例を示す説明図である。
【図５】本発明の実施形態の標準取付状態における全体図である。
【図６】業務用オーディオ・パワーアンプの第１の従来例を示す説明図である。
【図７】業務用オーディオ・パワーアンプの第２の従来例を示す説明図である。
【符号の説明】
【００４４】
１，４１，５１，６１，１１１…メインシャーシの側面板、１ａ，４１ａ，５１ａ，６１ａ…メインシャーシ側面の折曲部、２，１１２…トップカバー、２ａ…トップカバーの折曲部、３，４３，５３，６３，１１３，１２１…フロントパネル、３ａ，４３ａ，５３ａ，６３ａ，１２１ａ…フロントパネルの延在部、４，６４，１１４，１２２…取っ手、５，３１，６５，１１５…ラックアングル、５ａ，３１ａ，６５ａ…第１の取付板、５ｂ，３１ｂ，６５ｂ…第２の取付板、６，１１８，１２５…吸気口、６ａ…フロントフィルタグリル、７，１０，１１７…ねじ、１１，１２，１３，７１，７２，１２０1，１２０2，１２０4，１２４…貫通孔、１２０3，１２０5…貫通孔（逃げ孔）、１４，１５…切り欠き部、１６，１７，４４，４５，８２，１１６，１２３…貫通孔（長孔）、２１，２２，２３，２４，２５，２６…ねじ孔、３２，３３…切り欠きを有する貫通孔、１１９…背面板、
７３…電源スイッチ、７４…第１のインジケータ群、７５…Ａ系統の音量ボリューム、７６…第２のインジケータ群、７７…パネル表示器、７８…操作子群、７９…Ｂ系統の音量ボリューム、８０…第３のインジケータ群、８１…背面板、９１…サブシャーシ、９２，９３…冷却用ファン、９４，９５…ヒートシンク、９６，９７…排気口、９８，９９…パワーアンプ回路基板、１００…電源回路基板、１０１…CPU基板、１０２…DSP基板、１０３，１０４，１０５…入出力端子基板
【図１】
0004831000.tif 000002
【図２】
0004831000.tif 000003
【図３】
0004831000.tif 000004
【図４】
0004831000.tif 000005
【図５】
0004831000.tif 000006
【図６】
0004831000.tif 000007
【図７】
0004831000.tif 000008